(57)【特許請求の範囲】
【請求項１】
一対の電極である固定電極および可動電極と、
前記固定電極からの前記可動電極の引き外しと前記固定電極への前記可動電極の投入とを操作するための第１の可動部を有する操作装置と、
前記可動電極に接続されている第２の可動部と、
前記第１の可動部と前記第２の可動部との間に接続されており、縮められた状態とされることによって前記固定電極に前記可動電極を押し当てる弾性部品と、
前記縮められた状態から前記弾性部品が伸びて前記固定電極から前記可動電極が引き外されたときにおける前記弾性部品の収縮を減衰させる減衰機構と、
を備え、
前記減衰機構は、前記第１の可動部の減速に対して前記第２の可動部が移動を続けることによる前記弾性部品の収縮を減衰させることを特徴とする開閉器。
【請求項２】
前記減衰機構は、前記第２の可動部の移動に伴って印加される力に対する抵抗力を発生させて前記弾性部品の収縮を減衰させる機構であることを特徴とする請求項１に記載の開閉器。
【請求項３】
前記減衰機構は、前記第１の可動部と前記第２の可動部とのうちの一方に設けられた永久磁石と、前記第１の可動部と前記第２の可動部とのうちの他方に設けられた磁性体とを有し、前記永久磁石へ前記磁性体を吸着させることによって前記弾性部品の収縮を減衰させることを特徴とする請求項１に記載の開閉器。
【請求項４】
一対の電極である固定電極および可動電極と、
前記固定電極からの前記可動電極の引き外しと前記固定電極への前記可動電極の投入とを操作するための第１の可動部を有する操作装置と、
前記可動電極に接続されている第２の可動部と、
前記第１の可動部と前記第２の可動部との間に接続されており、前記固定電極に前記可動電極を押し当てるための弾性部品と、
前記固定電極から前記可動電極が引き外されたときにおける前記弾性部品の収縮を減衰させる減衰機構と、
を備え、
前記減衰機構は、前記第１の可動部と前記第２の可動部とのうちの一方に設けられた永久磁石と、前記第１の可動部と前記第２の可動部とのうちの他方に設けられた磁性体とを有し、前記永久磁石へ前記磁性体を吸着させることによって前記弾性部品の収縮を減衰させることを特徴とする開閉器。
【発明の詳細な説明】
【技術分野】
【０００１】
本発明は、回路に設けられた電極を開閉する開閉器に関する。
【背景技術】
【０００２】
固定電極と可動電極とを有する開閉器には、固定電極と可動電極とに接圧を加えるための接圧ばねが設けられているものがある。開閉器が固定電極および可動電極の間を閉じている閉状態であるときに、縮められた状態の接圧ばねが可動電極を固定電極へ押し当てられることによって、固定電極と可動電極とに接圧が加えられる。固定電極および可動電極を開閉器が開く際に、縮められた状態から接圧ばねが復元することによって接圧がゼロとなった後に、固定電極から可動電極が離れ始める。【０００３】
特許文献１には、２つの可動軸の間に接圧ばねが設けられている開閉器が開示されている。２つの可動軸のうちの一方である第１の可動軸は、操作装置の可動鉄心に接続されている。２つの可動軸のうちの他方である第２の可動軸は、可動電極に接続されている。第１の可動軸のうち、可動鉄心に接続されている側とは逆側の端部には、接圧ばねが収容される収容部が設けられている。第２の可動軸のうち、可動電極に接続されている側とは逆側の端部には、フランジ部が設けられている。フランジ部は、収容部の内部にて接圧ばねの一方の端部に接続されている。接圧ばねの他方の端部は収容部の内壁面に接続されている。
【先行技術文献】
【特許文献】
【０００４】
【特許文献１】国際公開第２０１６／１８１７３２号
【発明の概要】
【発明が解決しようとする課題】
【０００５】
上記特許文献１にかかる従来技術によると、２つの可動軸の間に接圧ばねが接続されているために、第１の可動軸が移動する速度と第２の可動軸が移動する速度とに差が生じる場合がある。可動電極の引き外しの際に、固定電極からある距離の位置に可動電極が到達したときに操作装置が可動鉄心の減速を始めた場合、第１の可動軸は可動鉄心とともに減速される。一方、第２の可動軸の慣性力を受けた接圧ばねが圧縮することによって、第２の可動軸は減速されずに、可動鉄心の減速開始よりも前と同じ速度での移動を続ける。このため、操作装置が可動鉄心を減速させる調整を行っても、第１の可動軸が移動する速度と第２の可動軸が移動する速度とに差が生じることによって、操作装置による速度の調整が可動電極の速度には反映されないこととなる。このように、上記従来技術によると、操作装置が速度調整を行ったとしても可動電極の速度を制御することができない場合があるという問題があった。【０００６】
本発明は、上記に鑑みてなされたものであって、操作装置による速度調整に伴って可動電極の速度を制御可能とする開閉器を得ることを目的とする。
【課題を解決するための手段】
【０００７】
上述した課題を解決し、目的を達成するために、本発明にかかる開閉器は、一対の電極である固定電極および可動電極と、固定電極からの可動電極の引き外しと固定電極への可動電極の投入とを操作するための第１の可動部を有する操作装置と、可動電極に接続されている第２の可動部と、第１の可動部と第２の可動部との間に接続されており、縮められた状態とされることによって固定電極に可動電極を押し当てる弾性部品と、縮められた状態から弾性部品が伸びて固定電極から可動電極が引き外されたときにおける弾性部品の収縮を減衰させる減衰機構と、を備える。減衰機構は、第１の可動部の減速に対して第２の可動部が移動を続けることによる弾性部品の収縮を減衰させる。
【発明の効果】
【０００８】
本発明によれば、開閉器は、操作装置による速度調整に伴って可動電極の速度を制御することができる、という効果を奏する。
【図面の簡単な説明】
【０００９】
【図１】本発明の実施の形態１にかかる開閉器である真空遮断器を示す図
【図２】図１に示す真空遮断器が有する減衰機構であるショックアブソーバの機能について説明するための図
【図３】本発明の実施の形態２にかかる開閉器である真空遮断器を示す図
【発明を実施するための形態】
【００１０】
以下に、本発明の実施の形態にかかる開閉器を図面に基づいて詳細に説明する。なお、この実施の形態によりこの発明が限定されるものではない。
【００１１】
実施の形態１．
図１は、本発明の実施の形態１にかかる開閉器である真空遮断器を示す図である。実施の形態１にかかる開閉器である真空遮断器１００は、高真空とされた真空バルブ１内にて、一対の電極である固定電極２および可動電極３の開閉を行う。真空バルブ１は、円筒状の中空体である。固定電極２は、真空バルブ１内にて位置が固定されている電極である。可動電極３は、固定電極２に対し移動可能な電極である。以下の説明にて、固定電極２と可動電極３とが電気的に接続されているときにおける真空遮断器１００の状態を閉状態、固定電極２と可動電極３との間の導通が遮断されているときにおける真空遮断器１００の状態を開状態と称することがある。
【００１２】
図１の上段には、閉状態における真空遮断器１００を示している。図１の下段には、開状態における真空遮断器１００を示している。なお、図１において、真空遮断器１００の構成要素には、断面によって表している構成要素と、平面視したものとして表している構成要素とが含まれている。断面の一部については、ハッチングを省略している。
【００１３】
真空遮断器１００は、固定電極２からの可動電極３の引き外しと固定電極２への可動電極３の投入とを操作する操作装置４を有する。引き外しとは、固定電極２に接触している可動電極３を固定電極２から引き離すことを指す。投入とは、固定電極２から離れている可動電極３を固定電極２へ引き寄せて、固定電極２へ可動電極３を接触させることを指す。操作装置４は、円筒状のケース１５を有する。柱状の固定鉄心６と筒状の可動鉄心７とは、ケース１５内に収納されている。固定鉄心６と可動鉄心７とは、互いに同軸上に配置されている。固定鉄心６は、ケース１５内にて位置が固定されている。可動鉄心７は、ケース１５内にて固定鉄心６に対して移動可能とされている。可動鉄心７は、軸方向において往復移動が可能である。固定鉄心６のうち、閉状態において可動鉄心７と接触する部分には、永久磁石１２が設けられている。
【００１４】
操作装置４は、可動鉄心７を駆動するための複数の駆動コイル１３を有する。複数の駆動コイル１３は、引き外し用の駆動コイル１３と、投入用の駆動コイル１３とを含む。各駆動コイル１３は、固定鉄心６によって囲われており、固定鉄心６の軸を中心に巻かれている。各駆動コイル１３は、固定鉄心６および可動鉄心７を通過する磁束を生成する。操作装置４は、複数の駆動コイル１３の各々へ電流を流す駆動回路が設けられている。図１では、駆動回路の図示を省略する。
【００１５】
可動軸１６は、軸方向における可動鉄心７の両端のうち、固定鉄心６へ向けられている側とは逆側の端に設けられている。可動軸１６は、ケース１５に形成されている孔を貫いて、ケース１５の外まで通されている。ばね受け１７は、可動軸１６のうちケース１５の外の部分に設けられている。ケース１５とばね受け１７との間には、弾性部品であるコイルばね１１が設けられている。コイルばね１１の一方の端部は、ケース１５の外壁面に接続されている。コイルばね１１の他方の端部は、ばね受け１７に接続されている。可動軸１６は、コイルばね１１の内側を通されている。
【００１６】
可動軸１６のうち可動鉄心７とは逆側の端部は、減速機構５に接続されている。減速機構５は、可動電極３の引き外しの際に、可動鉄心７の速度を減速させる。減速機構５としては、ダッシュポットを用いることができる。
【００１７】
可動軸１８は、軸方向における可動鉄心７の両端のうち、固定鉄心６へ向けられている側の端に設けられている。可動軸１８は、固定鉄心６を貫いて、ケース１５の外まで通されている。可動軸１８の一方の端部は、可動鉄心７に接続されている。可動軸１８の他方の端部には、中空の収容部１９が設けられている。収容部１９には、弾性部品であるコイルばね１４が収容されている。コイルばね１４は、固定電極２に可動電極３を押し当てるための接圧ばねである。可動軸１８と収容部１９とは、可動鉄心７と一体となって移動する構成要素であって、操作装置４の一部であるものとする。可動軸１８と収容部１９とは、可動電極３の引き外しと可動電極３の投入とを操作するための第１の可動部として機能する。なお、実施の形態１にて説明する操作装置４の構成は、一例であるものとする。操作装置４の構成は、適宜変更しても良い。
【００１８】
収容部１９のうち真空バルブ１側の端部には、可動軸２１が通される開口２４が形成されている。可動軸２１は、可動電極３に接続されている第２の可動部である。可動軸２１は、収容部１９の内から開口２４を経て収容部１９の外まで通されている。可動軸２１は、真空バルブ１内の可動電極３に接続されており、かつ真空バルブ１の外まで通されている。可動軸２１は、真空バルブ１内の真空状態を保ちながら軸方向において移動可能とされている。可動電極３は、可動軸２１の一方の端部に接続されている。なお、可動軸２１と可動電極３との間には、可動軸２１と可動電極３とを絶縁するための絶縁ロッドが設けられている。図１では、絶縁ロッドの図示を省略する。
【００１９】
可動軸２１の他方の端部には、フランジ部２０が設けられている。フランジ部２０は、収容部１９内に配置されている。フランジ部２０の外径は、開口２４の内径よりも大きい。真空遮断器１００が閉状態であるとき、フランジ部２０は、収容部１９のうち真空バルブ１側の端部における内壁面２２から離れた位置にある。真空遮断器１００が開状態であるとき、フランジ部２０は、内壁面２２に接触している。
【００２０】
コイルばね１４の一方の端部は、フランジ部２０に接続されている。コイルばね１４の他方の端部は、収容部１９のうち操作装置４側の内壁面に接続されている。すなわち、コイルばね１４は、第１の可動部と第２の可動部との間に接続されている。なお、第１の可動部と第２の可動部との間に接続される弾性部品は、コイルばね１４以外の弾性部品であっても良い。弾性部品は皿ばねあるいは板ばねといった、コイルばね１４以外のばねであっても良い。さらに、真空遮断器１００に設けられる弾性部品は、ばね以外の弾性部品であっても良い。
【００２１】
操作装置４には、ショックアブソーバ８が設けられている。ショックアブソーバ８は、固定電極２から可動電極３が引き外されたときにおけるコイルばね１４の収縮を減衰させる減衰機構である。ショックアブソーバ８のうち真空バルブ１側の端部２３に、操作装置４側へ向かう方向の力が印加された場合に、ショックアブソーバ８は、操作装置４側へ端部２３を変位させる。ショックアブソーバ８は、端部２３に印加された力に対する抵抗力を発生させることによって、端部２３が移動する速度を低下させる。
【００２２】
可動軸２１のうち、真空バルブ１と収容部１９との間の部分には、平板９が設けられている。可動軸２１は、平板９を貫いている。平板９は、可動軸２１に固定されている。平板９は、可動軸２１と一体となって移動する。真空遮断器１００が閉状態であるとき、端部２３と平板９とは互いに対向している。真空遮断器１００が開状態であるとき、端部２３は平板９に接触している。
【００２３】
次に、真空遮断器１００の動作について説明する。位置Ｐ１は、閉状態における可動鉄心７の位置である。位置Ｐ２は、閉状態における可動電極３の位置である。位置Ｐ３は、開状態における可動鉄心７の位置である。位置Ｐ４は、開状態における可動電極３の位置である。
【００２４】
固定電極２からの可動電極３の引き外しの際に、可動鉄心７は、位置Ｐ１から位置Ｐ３へ移動する。可動電極３は、位置Ｐ２から位置Ｐ４へ移動する。固定電極２への可動電極３の投入の際に、可動鉄心７は、位置Ｐ３から位置Ｐ１へ移動する。可動電極３は、位置Ｐ４から位置Ｐ２へ移動する。以下の説明では、可動電極３の引き外しの際に可動鉄心７が移動する方向を開方向、可動電極３の投入の際に可動鉄心７が移動する方向を閉方向と称することがある。閉方向は、開方向とは逆の方向である。
【００２５】
真空遮断器１００が閉状態であるとき、永久磁石１２の磁力によって、永久磁石１２へ可動鉄心７が吸着される。永久磁石１２への可動鉄心７の吸着によって、可動鉄心７のうち固定鉄心６側の端は、固定鉄心６に接触している。可動軸１８の位置は、軸方向における可動軸１８の移動範囲の中で、最も真空バルブ１側の位置とされている。平板９は、収容部１９と真空バルブ１の外壁面とに挟まれている。コイルばね１４は、収容部１９の内壁面とフランジ部２０とによって縮められている。可動軸２１は、コイルばね１４の反力によって、固定電極２に可動電極３を押し当てる。
【００２６】
コイルばね１１は、ケース１５の外壁面とばね受け１７とによって縮められている。ばね受け１７には、コイルばね１１の反力が印加される。永久磁石１２へ可動鉄心７を吸着させる吸着力のほうがコイルばね１１の反力よりも大きいことによって、真空遮断器１００は、閉状態を維持する。
【００２７】
真空遮断器１００が閉状態であるときに、操作装置４は、引き外し動作のための動作指令が操作装置４へ入力されたことに従って、引き外し用の駆動コイル１３へ電流を流す。動作指令は、真空遮断器１００を制御する制御盤から操作装置４へ入力される。図１では、制御盤の図示を省略する。
【００２８】
引き外し用の駆動コイル１３に電流が流れたことによって、引き外し用の駆動コイル１３は、永久磁石１２の磁力を打ち消し可能な電磁力を発生させる。引き外し用の駆動コイル１３が発生する電磁力と永久磁石１２の磁力との打ち消し合いによって、永久磁石１２の磁力は弱められる。永久磁石１２の磁力が弱められることによって、永久磁石１２へ可動鉄心７を吸着させる吸着力よりもコイルばね１１の反力のほうが大きくなったときに、コイルばね１１は、ばね受け１７を開方向へ移動させて、縮められた状態から自然長の状態へ復元する。可動軸１６と可動鉄心７とは、ばね受け１７とともに開方向へ移動する。このようにして、真空遮断器１００は、可動鉄心７を開方向へ移動させる。
【００２９】
可動軸１８と収容部１９とは、可動鉄心７とともに開方向へ移動する。収容部１９が開方向へ移動することによって、フランジ部２０と内壁面２２との間隔が徐々に狭められるとともに、コイルばね１４が伸びる。コイルばね１４が伸びることによって、固定電極２と可動電極３との接圧は弱められる。フランジ部２０が内壁面２２に接触してから、さらに可動軸１８と収容部１９とが開方向へ移動することによって、可動軸２１は、可動軸１８および収容部１９とともに開方向へ移動する。開方向への可動軸２１の移動によって、可動電極３は、固定電極２から引き外される。このようにして、真空遮断器１００の状態は、閉状態から開状態へ遷移する。
【００３０】
平板９は、可動軸２１とともに開方向へ移動して、端部２３に到達する。端部２３には、平板９によって、開方向の力が印加される。ショックアブソーバ８は、端部２３に印加された力に対する抵抗力を発生させる。ショックアブソーバ８は、抵抗力を発生させて可動軸２１の運動エネルギーを吸収することによって、可動軸２１の動きを緩和させる。ショックアブソーバ８が有する機能の詳細については後述する。
【００３１】
真空遮断器１００が開状態であるときに、操作装置４は、投入動作のための動作指令が操作装置４へ入力されたことに従って、投入用の駆動コイル１３へ電流を流す。投入用の駆動コイル１３に電流が流れたことによって、投入用の駆動コイル１３は、可動鉄心７を引き寄せる電磁力を発生させる。投入用の駆動コイル１３が発生する電磁力と永久磁石１２の磁力とによって、コイルばね１１を縮めさせながら可動鉄心７が閉方向へ移動する。閉方向への可動鉄心７の移動によって、可動軸１８と収容部１９とは、可動鉄心７とともに閉方向へ移動する。収容部１９とともに可動軸２１が閉方向へ移動することによって、可動電極３が固定電極２に到達する。さらに、収容部１９においてコイルばね１４が縮められることによって、固定電極２と可動電極３とには接圧が印加される。このようにして、真空遮断器１００の状態は、開状態から閉状態へ遷移する。
【００３２】
ここで、ショックアブソーバ８の機能について説明する。可動電極３の引き外しにおいて、固定電極２から可動電極３が離された後に、減速機構５が可動鉄心７の減速を開始したとする。可動軸１８および収容部１９は、可動鉄心７と一体であることから、可動鉄心７とともに減速が開始される。収容部１９の減速が開始されたときに、コイルばね１４には、開方向への可動軸２１の移動による慣性力が印加されている。収容部１９が減速される一方、コイルばね１４が慣性力によって縮められた場合、可動軸２１は減速されずに、可動鉄心７の減速開始よりも前と同じ速度での移動を続けることになる。そこで、実施の形態１では、ショックアブソーバ８は、コイルばね１４の収縮を減衰させることによって、可動軸２１を減速させる。
【００３３】
図２は、図１に示す真空遮断器が有する減衰機構であるショックアブソーバの機能について説明するための図である。図２には、可動軸１８の位置と時間との関係を表す波形と、可動軸２１の位置と時間との関係を表す波形とを示している。以下の説明では、可動軸１８，２１の位置と時間との関係を表す波形を、トラベル波形と称することがある。
【００３４】
図２において、破線のグラフは、可動電極３の引き外しの際における可動軸１８のトラベル波形の例を表している。実線のグラフは、可動電極３の引き外しの際における可動軸２１のトラベル波形の例を表している。図２に示すトラベル波形は、可動電極３が固定電極２から離れた後に減速機構５が可動鉄心７を減速させる場合におけるトラベル波形であって、かつ、ショックアブソーバ８による可動軸２１の減速が行われていない場合におけるトラベル波形であるものとする。
【００３５】
図２に示すグラフの縦軸は位置、横軸は時間を表す。なお、図２では、可動軸１８のトラベル波形と可動軸２１のトラベル波形とを重ね合わせて示すために、開状態のときにおける可動軸１８の位置を表す縦軸上の位置と、開状態のときにおける可動軸２１の位置を表す縦軸上の位置とを一致させている。
【００３６】
時刻ｔ０において、真空遮断器１００は閉状態である。真空遮断器１００が閉状態であるとき、可動軸１８と可動軸２１とは、それぞれ一定の位置にとどまる。図２において、縦軸方向における可動軸１８のグラフと可動軸２１のグラフとの間隔は、自然長からコイルばね１４が縮められている長さを表す。時刻ｔ０において、可動鉄心７は、位置Ｐ１にある。時刻ｔ０において、可動電極３は、位置Ｐ２にある。
【００３７】
真空遮断器１００は、動作指令に従って引き外し動作を開始する。時刻ｔ１において、可動電極３は、位置Ｐ２から開方向への移動を開始する。可動電極３は、固定電極２から離れる。時刻ｔ１より後に、減速機構５が可動鉄心７の減速を開始させると、可動軸１８は、可動鉄心７とともに減速される。一方、可動軸２１は、コイルばね１４が縮むことによって、可動軸１８よりも遅れて減速が開始される。その後、時刻ｔ２において、真空遮断器１００は開状態となる。時刻ｔ２において、可動鉄心７は、位置Ｐ３にある。時刻ｔ２において、可動電極３は、位置Ｐ４にある。
【００３８】
実施の形態１では、可動軸２１が開方向へ移動することによって平板９が端部２３に到達すると、ショックアブソーバ８は、平板９によって印加される開方向への力に対する抵抗力を発生させることによって、開方向への平板９の移動を緩和させる。ショックアブソーバ８は、開方向への平板９の移動を緩和させることによって、可動軸１８の減速時におけるコイルばね１４の収縮を抑制させる。このようにして、ショックアブソーバ８は、減速機構５が可動鉄心７の減速を開始させた後におけるコイルばね１４の収縮を減衰させる。
【００３９】
真空遮断器１００は、ショックアブソーバ８によってコイルばね１４の収縮を減衰させることによって、可動軸１８の減速と合わせて可動軸２１を減速させることができる。真空遮断器１００は、可動軸１８の減速と合わせて可動軸２１を減速させることによって、操作装置４による速度調整を可動電極３の速度に正確に反映させることができる。可動軸２１のトラベル波形は、可動軸１８のトラベル波形に近い波形となる。
【００４０】
真空遮断器１００では、固定電極２と可動電極３との間に縦磁界を発生させることがある。縦磁界を発生させることによって、遮断時に固定電極２と可動電極３との間に発生するアークが電極面全体に広がり、アーク放電による電流の密度が低下する。電流の密度が低下することによって、固定電極２および可動電極３の溶融が抑制される。真空遮断器１００は、溶融によって生じる蒸気を抑制させることによって、電流を容易に遮断することが可能となる。真空遮断器１００には、縦磁界を発生させる電極が設けられていても良い。図１では、縦磁界を発生させる電極の図示を省略する。
【００４１】
真空遮断器１００は、固定電極２から可動電極３が引き外されたときに可動電極３を減速させることによって、縦磁界による遮断性能を向上させることができる。真空遮断器１００は、このように可動電極３の減速が要請される場合において、操作装置４による速度調整に伴って可動電極３を減速させることができる。真空遮断器１００は、操作装置４による速度調整に伴って可動電極３を減速させることによって、高い遮断性能を得ることができる。
【００４２】
真空遮断器１００に設けられる減衰機構は、可動軸２１の移動に伴って印加される力に対する抵抗力を発生させて弾性部品の収縮を減衰させる機構であれば良く、ショックアブソーバ８以外の機構であっても良い。減衰機構は、ダッシュポットあるいは機械的なリンク機構といった機構であっても良い。実施の形態１にかかる開閉器は、真空遮断器１００以外の遮断器、あるいは断路器などであっても良い。
【００４３】
実施の形態１によると、開閉器は、固定電極２から可動電極３が引き外されたときにおける弾性部品の収縮を減衰させる減衰機構を有することによって、操作装置４による速度調整に伴って可動電極３を減速させることができる。これにより、開閉器は、操作装置４による速度調整に伴って可動電極３の速度を制御することができるという効果を奏する。
【００４４】
実施の形態２．
図３は、本発明の実施の形態２にかかる開閉器である真空遮断器を示す図である。実施の形態１にかかる開閉器である真空遮断器１０１は、減速機構を構成する永久磁石および磁性体を有する。実施の形態２では、上記の実施の形態１と同一の構成要素には同一の符号を付し、実施の形態１とは異なる構成について主に説明する。
【００４５】
図３の上段には、閉状態における真空遮断器１０１を示している。図３の下段には、開状態における真空遮断器１０１を示している。なお、図３において、真空遮断器１０１の構成要素には、断面によって表している構成要素と、平面視したものとして表している構成要素とが含まれている。断面の一部については、ハッチングを省略している。
【００４６】
可動軸２１のうち開方向側の端部には、永久磁石であるフランジ部３０が設けられている。フランジ部３０は、永久磁石である。収容部１９のうち閉方向側の端部３１は、磁性体である。端部３１には、可動軸２１が通される開口２４が形成されている。このように、真空遮断器１０１において、第１の可動部である収容部１９に磁性体が設けられ、かつ第２の可動部である可動軸２１に永久磁石が設けられている。真空遮断器１０１が閉状態であるとき、フランジ部３０は、収容部１９のうち端部３１から離れた位置にある。真空遮断器１００が開状態であるとき、フランジ部３０は、端部３１に接触している。
【００４７】
次に、真空遮断器１０１の動作について説明する。可動電極３の引き外しにおいて、可動軸１８と収容部１９とは、可動鉄心７とともに開方向へ移動する。収容部１９が開方向へ移動することによって、フランジ部３０と端部３１との間隔が徐々に狭められるとともに、コイルばね１４が伸びる。フランジ部３０が端部３１に接触してから、さらに可動軸１８と収容部１９とが開方向へ移動することによって、可動軸２１は、可動軸１８および収容部１９とともに開方向へ移動する。
【００４８】
固定電極２から可動電極３が離された後に、減速機構５が可動鉄心７の減速を開始したとする。可動軸１８および収容部１９は、可動鉄心７とともに減速を開始させる。実施の形態２では、フランジ部３０が端部３１に接触した後、端部３１は、フランジ部３０の磁力によって、フランジ部３０に吸着される。端部３１がフランジ部３０に吸着されることによって、開方向の慣性力が可動軸２１に印加される状態において、端部３１からのフランジ部３０の乖離が抑制される。フランジ部３０および端部３１は、互いに接触を維持させることによって、可動軸１８の減速時におけるコイルばね１４の収縮を抑制させる。このようにして、フランジ部３０および端部３１は、減速機構５が可動鉄心７の減速を開始させた後におけるコイルばね１４の収縮を減衰させる。減衰機構は、永久磁石へ磁性体を吸着させることによって弾性部品の収縮を減衰させる。
【００４９】
実施の形態２の減衰機構は、永久磁石であるフランジ部３０と、磁性体である端部３１からなるものに限られない。減衰機構において、フランジ部３０の全体が永久磁石である場合に限られず、フランジ部３０の一部が永久磁石であっても良い。減衰機構において、収容部１９のうち端部３１のみならず端部３１以外の部分が磁性体であっても良く、収容部１９の全体が磁性体であっても良い。実施の形態２では、第１の可動部である収容部１９に永久磁石が設けられ、かつ第２の可動部である可動軸２１に磁性体が設けられても良い。実施の形態２にかかる開閉器は、真空遮断器１０１以外の遮断器、あるいは断路器などであっても良い。
【００５０】
実施の形態２によると、開閉器は、固定電極２から可動電極３が引き外されたときにおける弾性部品の収縮を減衰させる減衰機構を有することによって、操作装置４による速度調整に伴って可動電極３を減速させることができる。これにより、開閉器は、操作装置４による速度調整に伴って可動電極３の速度を制御することができるという効果を奏する。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  真空バルブ、２  固定電極、３  可動電極、４  操作装置、５  減速機構、６  固定鉄心、７  可動鉄心、８  ショックアブソーバ、９  平板、１１，１４  コイルばね、１２  永久磁石、１３  駆動コイル、１５  ケース、１６，１８，２１  可動軸、１７  ばね受け、１９  収容部、２０，３０  フランジ部、２２  内壁面、２３，３１  端部、２４  開口、１００，１０１  真空遮断器。
【要約】
開閉器である真空遮断器（１００）は、一対の電極である固定電極（２）および可動電極（３）と、固定電極（２）からの可動電極（３）の引き外しと固定電極（２）への可動電極（３）の投入とを操作するための第１の可動部である可動軸（１８）および収容部（１９）を有する操作装置（４）と、可動電極（３）に接続されている第２の可動部である可動軸（２１）と、第１の可動部と第２の可動部との間に接続されており、固定電極（２）に可動電極（３）を押し当てるための弾性部品であるコイルばね（１４）と、固定電極（２）から可動電極（３）が引き外されたときにおける弾性部品の収縮を減衰させる減衰機構であるショックアブソーバ（８）と、を備える。【図１】
0006771115.tif 000002
【図２】
0006771115.tif 000003
【図３】
0006771115.tif 000004